【事件の表示】
　特願２０１０−１６２２８１「ぱちんこ遊技機」拒絶査定不服審判事件〔平成２４年　２月　２日出願公開、特開２０１２−　２００７５〕について、次のとおり審決する。
【結　論】
　本件審判の請求は、成り立たない。
【理　由】
第１　手続の経緯
　本願は、平成２２年７月１６日の出願であって、平成２６年１月２９日付けで拒絶の理由が通知され、同年４月７日に意見書及び手続補正書が提出され、同年８月１５日付けで拒絶の理由が通知され、同年１０月１４日に意見書及び手続補正書が提出され、さらに、平成２７年３月４日付けで平成２６年１０月１４日付けの手続補正が却下されると共に拒絶査定がなされ、それに対して、平成２７年６月８日に拒絶査定不服審判の請求がなされると同時に手続補正書が提出されたところ、平成２８年５月１０日付けで当審から拒絶の理由が通知され、同年６月１５日に意見書及び手続補正書が提出されたものである。
第２　本願発明
　本願の請求項１に係る発明（以下、「本願発明」という。）は、平成２８年６月１５日付け手続補正書により補正された特許請求の範囲の請求項１に記載された次のとおりのものと認める。
「【請求項１】
　遊技盤上に設けられ、遊技球が入賞または通過することが可能な導入部と、
　所定の演出領域において遊技盤の表面を覆い、所定の演出時に発光する演出役物と、
　を備え、
　前記演出役物は、
　前記導入部の直上に遊技盤に対して固定配置され、遊技球に干渉して遊技球を前記導入部へ導くことが可能な干渉手段と、
　前記導入部へ導かれない遊技球が通過可能な通過領域と、
　を有することを特徴とするぱちんこ遊技機。」
第３　当審の拒絶理由の概要
　当審から平成２８年５月１０日付けで通知した拒絶理由の概要は、本願の請求項１に係る発明は、その出願前に頒布された刊行物である特開平４−２４０３８号公報及び特開２００８−８６５１７号公報に記載された発明に基づいて、その出願前にその発明の属する技術の分野における通常の知識を有する者が容易に発明をすることができたものであるから、特許法第２９条第２項の規定により特許を受けることができない、というものである。
第４　刊行物に記載された発明
　当審から平成２８年５月１０日付けで通知した拒絶理由で引用した特開平４−２４０３８号公報（以下、「刊行物１」という。）には、図面とともに以下の事項が記載されている（下線は審決で付した。以下同じ。）。
（１−ａ）「第１図において、
パチンコ機の遊技盤１の表面には、ガイドレール２で囲われた遊技部３の
可変表示装置４の下方に変動入賞装置５が配設される。
　可変表示装置４と変動入賞装置５の間および変動入賞装置５の左右には特定入賞口６ａ，６ｂ，６ｃが配設され、特定入賞口６ａ，６ｂ，６ｃに入賞球を検出する特定入賞球検出スイッチ（始動スイッチ）７ａ，７ｂ，７ｃが設置される（第６図、第９図参照）。」（第２頁右上欄第１８行〜左下欄第８行）
（１−ｂ）「可変表示装置４は、第３図のように左、中、右に数字等の記号を表示する３組のＬＥＤ（７セグメントＬＥＤ）１９ａ，１９ｂ，１９ｃを有する可変表示部２０と、遊技盤１に取付ける基板２１等からなり、
前記特定入賞口６ａ，６ｂ，６ｃに打球が入賞すると、これに応じて始動つまり可変表示部２０の左、中、右のＬＥＤ１９ａ，１９ｂ，１９ｃの記号が変換表示される。
（１−ｃ）「
変動入賞装置５は、第５図、第６図のように遊技盤１の表面に取付られる基板２３の中央上部に開口部２４が、開口部２４の下部に奥方に向けて下り傾斜する流下棚２５が形成され、開口部２４の上部前面に裏面の枠部材２６に取付けた特別入賞口２７が配設される。流下棚２５の下には周壁２８で囲われた飾り部２９が形成される。
（１−ｄ）「また、
基板２３の左右に特定入賞口６ｂ，６ｃは一体的に形成され、
飾り部２９内には特別遊技の発生時に点滅する当たり表示ランプ４４が設けられる。
　ここで、飾りカバー４３は特定入賞口６ｂ，６Ｃの前壁４５を兼ね、
特定入賞口６ｂ，６ｃの入口側に突設される釘として、基板２３に樹脂からなるピン４６（第６図では図示されない）が一体形成される。
　また、第２０図のように飾りカバー４３が兼ねる特定入賞口６ｂ、６ｃの前壁４５を透明部材で形成すると共に・・・」（第３頁左下欄第８行〜右下欄第１行）
（１−ｅ）「一方、
大当たりの発生により大当たり遊技に入ると、
可変表示装置４の
大当たりの図柄が表示され、動作状態表示ＬＥＤ５２に“大当たり”の文字が表示され、ゲームランプ１３ａ，１３ｂが消灯され、当たり表示ランプ４４，５３が点滅され、大当たりのファンファーレ音等が出力される。
（１−ｆ）「ところで、
特定入賞口
６ｂ，６ｃの入口側および上方の釘を、基板２３と一体の樹脂からなるピン４６およびフェンス部材４７にて形成したので、特定入賞口６ａ，６ｂ，６ｃへの入賞路は一定であり、広げたり狭めたりすることはできない。
　
これにより、特定入賞口６ａ，６ｂ，６ｃの命釘等を曲げ、不当に特定入賞口６ａ，６ｂ，６ｃの入賞率を変えるといった不正行為を確実に防止できる。
（１−ｇ）上記（１−ｃ）、（１−ｄ）の記載事項をふまえて、第５図及び第６図を見れば、変動入賞装置５が、遊技盤１の表面に取付けられる基板２３と、前記基板２３に形成される飾り部２９等の各種部材からなること、基板２３が特定入賞口６ｂ，６ｃの両側部分を有すること、ピン４６が特定入賞口６ｂ，６ｃの直上に一対で配置されることが把握できる。
（１−ｈ）上記（１−ｃ）の「遊技盤１の表面に取付られる基板２３」との記載及び、上記（１−ｄ）の「基板２３の左右に特定入賞口６ｂ，６ｃは一体的に形成され」との記載から、特定入賞口６ｂ、６ｃは、遊技盤１の表面に取付けられることが把握できる。
　また、上記（１−ｂ）の「前記特定入賞口・・・６ｂ，６ｃに打球が入賞すると、これに応じて始動つまり可変表示部２０の左、中、右のＬＥＤ１９ａ，１９ｂ，１９ｃの記号が変換表示され」との記載から、特定入賞口６ｂ，６ｃは、打球が入賞することが可能なものといえる。
　よって、
特定入賞口６ｂ、６ｃは、遊技盤１の表面に取付けられ、打球が入賞することが可能なものである
（１−ｉ）上記（１−ａ）の「パチンコ機の遊技盤１の表面には、ガイドレール２で囲われた遊技部３のほぼ中央に複数の記号を表示可能な可変表示装置４が配設され、可変表示装置４の下方に変動入賞装置５が配設される。」
との記載、（１−ｄ）の「飾り部２９内には特別遊技の発生時に点滅する当たり表示ランプ４４が設けられる。」との記載及び上記（１−ｇ）の認定事項から、
変動入賞装置５は、ガイドレール２で囲われた遊技部３の可変表示装置４の下方に遊技盤１の表面を覆って配設され、当たり表示ランプ４４を有する
（１−ｊ）上記（１−ｅ）の記載事項から、
当たり表示ランプは、大当たりの発生により大当たり遊技に入ると、可変表示装置の大当たりの図柄表示、動作状態表示ＬＥＤ５２の“大当たり”の文字表示、大当たりのファンファーレ音等の出力と共に点滅する
（１−ｋ）上記（１−ｇ）の認定事項から、変動入賞装置５は、遊技盤１の表面に取付けられる基板２３を備えることが把握できる。
　また、ピン４６に関する上記（１−ｄ）、（１−ｆ）の記載事項及び（１−ｇ）の認定事項から、ピン４６は、基板２３と一体の樹脂からなり、前記特定入賞口６ｂ，６ｃの直上に一対で配置され、特定入賞口６ｂ，６ｃへの入賞路の一部を構成することが把握できる。
　よって、
変動入賞装置５は、遊技盤１の表面に取付けられる基板２３と一体の趣旨からなり、前記特定入賞口６ｂ，６ｃの直上に一対で配置され、特定入賞口６ｂ，６ｃへの入賞路の一部を構成するピン４６を有する
（１−ｌ）上記（１−ｇ）の認定事項から、
変動入賞装置５は、基板２３における特定入賞口６ｂ，６ｃの両側部分を有する
　上記（１−ａ）〜（１−ｆ）の記載事項及び（１−ｇ）〜（１−ｌ）の認定事項を総合すると、刊行物１には、次の発明が記載されていると認められる。（以下、「刊行物１発明」という。）
「遊技盤１の表面に取付けられ、打球が入賞することが可能な特定入賞口６ｂ，６ｃと、
　ガイドレール２で囲われた遊技部３の可変表示装置４の下方に遊技盤１の表面を覆って配設され、大当たりの発生により大当たり遊技に入ると、可変表示装置の大当たりの図柄表示、動作状態表示ＬＥＤ５２の“大当たり”の文字表示、大当たりのファンファーレ音等の出力と共に点滅する当たり表示ランプ４４を有する変動入賞装置５と、
　を備え、
　前記変動入賞装置５は、
　遊技盤１の表面に取付けられる基板２３と一体の樹脂からなり、前記特定入賞口６ｂ，６ｃの直上に一対で配置され、特定入賞口６ｂ，６ｃへの入賞路の一部を構成するピン４６と、
　前記基板２３における特定入賞口６ｂ，６ｃの両側部分と、
を有するパチンコ機。」
第５　対比
　本願発明と刊行物１発明とを対比する。
１　刊行物１発明の「遊技盤１」、「打球」及び「パチンコ機」はそれぞれ、本願発明の「遊技盤」、「遊技球」及び「ぱちんこ遊技機」に相当する。
　また、刊行物１発明の「特定入賞口６ｂ，６ｃ」は、打球が入賞することが可能であって、打球を特定入賞口内部に導入するものであるから、本願発明の「導入部」に相当する。
　よって、刊行物１発明の「遊技盤１の表面に取付けられ、打球が入賞することが可能な特定入賞口６ｂ，６ｃ」は、本願発明の「遊技盤上に設けられ、遊技球が入賞または通過することが可能な導入部」に相当する。
２　刊行物１発明の「変動入賞装置５」は、ガイドレール２で囲われた遊技部３の一部の領域（可変表示装置４の下方）において遊技盤１の表面を覆って配設されることから、所定の領域において遊技盤の表面を覆うものといえる。
　また、「変動入賞装置５」は表示ランプ４４を備えており、前記表示ランプ４４は、大当たりの発生により大当たり遊技に入ると、可変表示装置の大当たりの図柄表示、動作状態表示ＬＥＤ５２の“大当たり”の文字表示、大当たりのファンファーレ音等の出力と共に点滅することから、表示ランプ４４を備える変動入賞装置５は、「所定の演出時に発光する演出役物」に相当し、前記所定の領域は、所定の演出時に表示ランプ４４が発光する所定の演出領域といえる。
　よって、刊行物１発明の「ガイドレール２で囲われた遊技部３の可変表示装置４の下方に遊技盤１の表面を覆って配設され、大当たりの発生により大当たり遊技に入ると、可変表示装置の大当たりの図柄表示、動作状態表示ＬＥＤ５２の“大当たり”の文字表示、大当たりのファンファーレ音等の出力と共に点滅する当たり表示ランプ４４を有する変動入賞装置」は、本願発明の「所定の演出領域において遊技盤の表面を覆い、所定の演出時に発光する演出役物」に相当する。
３　刊行物１発明の「ピン４６」は、遊技盤１の表面に取付けられる基板２３と一体の樹脂からなることから、遊技盤１に対して固定配置されるものである。
　また、「ピン４６」は、特定入賞口の直上に一対で配置されて入賞路の一部を構成するものであり、入賞路とは、打球を入賞口へ導く経路であることから、ピン４６に向かって上部から流下する打球が存在すれば、入賞路の一部を構成するピン４６は、その打球に干渉して、打球を特定入賞口６ｂ，６ｃに導くことが可能なものといえる。
　よって、刊行物１発明の「遊技盤１の表面に取付けられる基板２３と一体の樹脂からなり、前記特定入賞口６ｂ，６ｃの直上に一対で配置され、特定入賞口６ｂ，６ｃへの入賞路の一部を構成するピン４６」は、本願発明の「前記導入部の直上に遊技盤に対して固定配置され、遊技球に干渉して遊技球を前記導入部へ導くことが可能な干渉手段」に相当する。
４　したがって、本願発明と刊行物１発明とは、
「遊技盤上に設けられ、遊技球が入賞または通過することが可能な導入部と、
　所定の演出領域において遊技盤の表面を覆い、所定の演出時に発光する演出役物と、
　を備え、
　前記演出役物は、
　前記導入部の直上に遊技盤に対して固定配置され、遊技球に干渉して遊技球を前記導入部へ導くことが可能な干渉手段を有するぱちんこ遊技機。」
である点で一致し、以下の点で相違する。
［相違点１］
　本願発明は、演出役物が、「導入部へ導かれない遊技球が通過可能な通過領域」を有するのに対して、刊行物１発明は、変動入賞装置５が、導入部へ導かれない遊技球が通過可能な領域を有するか否か不明である点。
第６　判断
　上記相違点について判断する。
　刊行物１発明の「変動入賞装置５」は、基板２３における特定入賞口６ｂ，６ｃの両側部分を有しており、その前方には、一定の空間が存在するといえる。
　刊行物１には、上記空間を打球が通過可能とする点について明記されていないものの、特定入賞口６ｂ，６ｃの直上にあるピン４６の干渉によってピン４６の外側にはじかれる打球や、ピン４６に干渉せずにフェンス部材４７の外側から前記空間に導かれる打球が存在することは明らかであり、その様な打球が存在すれば、前記空間を打球が通過可能な構成とすることは、当業者にとって自明の事項である。
　よって、刊行物１発明のパチンコ機において、打球が変動入賞装置５の特定入賞口６ｂ，６ｃの両側の部分に向かってきた場合に、その前方の空間を特定入賞口６ｂ，６ｃへ導かれない打球が通過可能な通過領域として、本願発明の構成とすることは、当業者が容易になし得たことである。
　また、請求人は意見書において、「演出役物を干渉手段として用いることができるため、演出上の美観を損ねることなく、設計通りの割合で遊技球を導入部へ通過させることができる、という本願発明の作用効果を得ることができます（段落番号［００８１］、［００８２］等）。これに対して、引用文献１，２には、遊技盤の表面を覆う演出役物が、遊技球を導入部へ導くことが可能な干渉手段と、導入部へ導かれない遊技球が通過可能な通過領域と、を有する、という補正後の請求項１の内容について、何ら開示されておりません。」と主張するが、刊行物１（引用文献１）発明の「変動入賞装置５」は、遊技盤１の表面を覆って配設され、当たり表示ランプ４４を飾り部２９内に備えて所定の演出時に表示ランプ４４を点滅させるものであるから、遊技盤の表面を覆う演出役物といえ、また、変動入賞装置５は、打球を特定入賞口へ導くことが可能なピン４６を有していることから、遊技球を導入部へ導くことが可能な干渉手段を有する演出役物といえる。
　そして、上記で検討したとおり、刊行物１発明のパチンコ機において、変動入賞装置５が、特定入賞口６ｂ、６ｃへ導かれない遊技球が通過可能な通過領域を有する構成とすることは、当業者が容易になし得たことである。
　さらに、請求人が主張する「演出役物を干渉手段として用いることができるため、演出上の美観を損ねることなく、設計通りの割合で遊技球を導入部へ通過させることができる」という作用効果について、刊行物１発明は、変動入賞装置５（演出役物に相当する）の一部を、ピン４６（干渉手段に相当）として用いることができる構成であることから、本願発明と同様の作用効果を有するものといえる。
　よって、請求人の上記主張は採用できない。
第７　むすび
　以上のとおり、本願発明は、刊行物１発明に基づいて当業者が容易に発明をすることができたものであるから、特許法第２９条第２項の規定により特許を受けることができない。
　よって、結論のとおり審決する。